(57)【要約】【課題】広がりのある空間を演出できる照明付きキャビネットを提供する。【解決手段】照明付きキャビネットは、収納棚１２と、照明ユニット１６と、を備える。照明ユニット１６は、光源２８と、光源２８からの光が入射する導光体３０と、を含む。導光体３０は、収納棚１２に載置されている。【選択図】図４
2019170945.tif 000002
【特許請求の範囲】
【請求項１】
収納棚と、
照明ユニットと、を備え、
前記照明ユニットは、
光源と、
前記光源からの光が入射する導光体と、を含み、
前記導光体は、収納棚に載置されていることを特徴とする照明付きキャビネット。
【請求項２】
前記導光体は、入射した光を、斜め上後方に出射可能に構成されていることを特徴とする請求項１に記載の照明付きキャビネット。
【請求項３】
前記導光体の出射面は、前側となるほど上方に位置するように傾斜する傾斜面を有することを特徴とする請求項１または２に記載の照明付きキャビネット。
【請求項４】
前記導光体の出射面には、入射した光の少なくとも一部を斜め上後方に内面反射させてから屈折させて出射させる複数のステップが形成されていることを特徴とする請求項１または２に記載の照明付きキャビネット。
【請求項５】
前記照明ユニットは、前記導光体の出射面の一部を覆う遮光部材であって、位置変更可能に設けられる遮光部材をさらに備えることを特徴とする請求項１から４のいずれかに記載の照明付きキャビネット。
【請求項６】
前記導光体は、左右方向に延びる軸を中心として角度調整可能に支持されることを特徴とする請求項１から５のいずれかに記載の照明付きキャビネット。
【請求項７】
請求項１から６のいずれかに記載の照明付きキャビネットと、
前記照明付きキャビネットより下方に設けられる洗面台と、を備えることを特徴とする洗面化粧ユニット。
【発明の詳細な説明】
【技術分野】
【０００１】
本発明は、照明付きキャビネットおよびそれを用いた洗面化粧ユニットに関する。
【背景技術】
【０００２】
洗面台の上方などに設置されるキャビネットが知られている。従来では、照明ユニットを備える照明付きキャビネットが提案されている（例えば特許文献１）。
【先行技術文献】
【特許文献】
【０００３】
【特許文献１】特開２０１５−１０４５５１号公報
【発明の概要】
【発明が解決しようとする課題】
【０００４】
キャビネットに備え付けられている照明ユニットにより、広がりのある空間を演出したいという要求がある。特許文献１に記載されるような従来の照明付きキャビネットは、この観点から改善の余地があった。
【０００５】
本発明はこうした状況に鑑みてなされたものであり、その目的は、広がりのある空間を演出できる照明付きキャビネットを提供することにある。
【課題を解決するための手段】
【０００６】
上記課題を解決するために、本発明のある態様の照明付きキャビネットは、収納棚と、照明ユニットと、を備える。照明ユニットは、光源と、光源からの光が入射する導光体と、を含む。導光体は、収納棚に載置されている。
【発明の効果】
【０００７】
本発明によれば、広がりのある空間を演出できる照明付きキャビネットを提供できる。
【図面の簡単な説明】
【０００８】
【図１】実施の形態に係る上部キャビネットを備える洗面化粧ユニットを示す斜視図である。
【図２】図１の上部キャビネットを示す正面図である。
【図３】図２のＡ−Ａ線断面図である。
【図４】照明ユニットとその周辺を拡大して示す拡大断面図である。
【図５】図５（ａ）〜（ｃ）はそれぞれ、変形例に係る照明ユニットとその周辺を拡大して示す拡大断面図である。
【図６】別の変形例に照明ユニット１６とその周辺を拡大して示す拡大断面図である。
【図７】図７（ａ）、（ｂ）は、さらに別の変形例に係る上部キャビネットの斜視図および平面図である。
【図８】さらに別の変形例に係る照明ユニットとその周辺を拡大して示す拡大断面図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、洗面化粧ユニットを利用するユーザから見た上、下、左、右をいう。また、「前」、「後」はそれぞれ、ユーザから見て手前側、奥側をいう。
【００１０】
図１は、実施の形態に係る上部キャビネット１０を備える洗面化粧ユニット１を示す斜視図である。図２は、図１の上部キャビネット１０を示す正面図である。図３は、図２のＡ−Ａ線断面図である。洗面化粧ユニット１は、例えば洗面所に設置される。洗面化粧ユニット１は、洗面台２と、吐水装置３と、下部キャビネット４と、上部キャビネット１０と、を備える。
【００１１】
下部キャビネット４は床面に設置される。下部キャビネット４は、本実施の形態では２つの引出を有しており、例えば洗面用具や化粧品を収容できる。洗面台２は下部キャビネット４に載置される。吐水装置３は洗面台に設置される。吐水装置３はユーザの操作に応じて吐水する。
【００１２】
上部キャビネット１０は、洗面台２の上方の壁面に固定される。上部キャビネット１０は、収納棚１２と、収納棚１２を開閉可能に覆う３つの収納扉と、収納棚１２の上方に設けられる照明ユニット１６と、を含む。つまり、上部キャビネット１０は、照明付きキャビネットである。本実施の形態では、各収納扉１４の前面には鏡が取り付けられている。つまり、本実施の形態の上部キャビネット１０はミラーキャビネットである。
【００１３】
図４は、照明ユニット１６とその周辺を拡大して示す拡大断面図である。図４では、理解を容易にするためハッチングを省略している。照明ユニット１６は、光源ユニット２０と、導光体３０と、を含む。光源ユニット２０は、収納棚１２の上面に載置される筐体２２と、筐体２２内に配置される基板２６と、基板２６に実装される光源２８と、を含む。筐体２２は、前面が開いた左右に細長い箱状に形成される。基板２６は、左右に細長い板状に形成される。光源２８は、本実施の形態ではＬＥＤであるが、ＬＤ（レーザダイオード）、有機または無機ＥＬ（エレクトロルミネセンス）などの他の光源であってもよい。光源２８の光軸Ａｘは前後方向と実質的に一致している。
【００１４】
導光体３０は、収納棚１２に載置される。導光体３０は、透光性部材であり、例えばアクリル樹脂やポリカーボネート樹脂で形成される。導光体３０は、左右に長い板状に形成され、長手方向（左右方向）に垂直な断面は略矩形状である。導光体３０の上面３１および下面３２は上下方向（鉛直方向）に直交し、背面３４および前面３３は前後方向に直交する。背面３４は、光源２８の出射面２８ａと対向する。なお、図示の例では、導光体３０の一部が収納棚１２よりも前方に突出しているが、導光体３０の全体が収納棚１２の上方に位置するように構成されてもよい。
【００１５】
光源２８から出射された光は、背面３４から導光体３０に入射する。導光体３０に入射した光は、内面反射を繰り返しながら導光体３０内を前面３３に向かって進行する。このとき、光の一部は、上面３１で内面反射されることなく上面３１から出射され、他の一部は、下面３２で内面反射されることなく下面３２から出射される。
【００１６】
また、導光体３０に入射した光の一部は前面３３に到達する。前面３３に到達した光の一部は、前面３３で内面反射されることなく前面３３から出射され、他の少なくとも一部は、前面３３で内面反射される。前面３３で内面反射された光は、内面反射を繰り返しながら導光体３０内を背面３４に向かって進行する。このとき、光の一部は、上面３１で内面反射されることなく上面３１から出射される。この光は特に、収納棚１２の斜め上後方に向かって出射される（光線Ｌ１で示す）。
【００１７】
まとめると、光源２８から出射された光は、背面３４から入射し、上面３１、下面３２および前面３３から出射される。つまり、背面３４は入射面を構成し、上面３１、下面３２および前面３３は出射面を構成する。
【００１８】
なお、下面３２については、収納扉１４よりも前方に突出した部分を、出射面と捉えてもよい。下面３２のうち、収納棚１２および収納扉１４と対向する対向面３２ａは、到達した光を全て内面反射させる（すなわち全反射させる）ように構成されてもよい。例えば、対向面３２ａには、金属（例えばアルミ）蒸着が施されてもよいし、反射ステップが形成されてもよいし、鏡面加工が施されてもよい。
【００１９】
本実施の形態によれば、照明ユニット１６の導光体３０は、収納棚１２に載置されている。したがって、照明ユニット１６から斜め上後方に向かって光を出射させて上部キャビネット１０の上方の壁を照し、広がりのある空間を演出することが可能となる。また導光体３０が収納棚１２に載置されているため、容易に、交換したり、取り外して清掃したりできる。つまり、本実施の形態によれば、照明ユニット１６のメンテナンス性が向上する。
【００２０】
また、本実施の形態によれば、照明ユニット１６から斜め上後方に向かって光が出射され、上部キャビネット１０の上方の壁が照らされる。これにより、より確実に、広がりのある空間を演出できる。
【００２１】
以上、実施の形態に係るキャビネットについて説明した。この実施の形態は例示であり、各構成要素の組み合わせにいろいろな変形例が可能なこと、またそうした変形例も本発明の範囲にあることは当業者に理解されるところである。以下、変形例を説明する。
【００２２】
（変形例１）
実施の形態では特に言及しなかったが、照明ユニット１６の導光体３０の上面（出射面）３１は、前側となるほど上方に位置するように形成された傾斜面を有してもよい。傾斜面の数は特に限定されず、また傾斜面は、平面状であっても、曲面状であってもよい。以下、具体例を挙げる。
【００２３】
図５（ａ）〜（ｃ）はそれぞれ、変形例に係る照明ユニット１６とその周辺を拡大して示す拡大断面図である。図５（ａ）〜（ｃ）では、理解を容易にするためハッチングを省略している。
図５（ａ）の例では、上面３１の全体が傾斜面３１ａとなっている。
図５（ｂ）の例では、上面３１の一部が傾斜面３１ａとなっている。
図５（ｂ）の例では、上面３１は、複数（ここでは２つ）の傾斜面３１ａを有し、前方側の傾斜面３１ａは平面状に形成され、後方側の傾斜面３１ａは曲面状に形成されている。
また、特に限定しないが、図５（ａ）〜（ｃ）では、光軸Ａｘが斜め下前方を向くように光源２８を配置している。
【００２４】
つづいて、本変形例による効果を説明する。ここでは、図５（ａ）を参照して説明する。前面３３で内面反射して傾斜面３１ａに到達する光の入射角度θｓは、上面３１が水平面である場合の入射角度θｆに比べて小さくなる。したがって、前面３３で内面反射して傾斜面３１ａに到達する光の入射角度θｓが臨界角を超える可能性は、上面３１が水平面である場合に比べて低くなる。つまり、本実施の形態によれば、前面３３で内面反射して上面３１に到達する光を、より多く傾斜面３１ａから出射させることができる。つまり、本変形例によれば、より多くの光を斜め上後方に向けて出射させることができる。
【００２５】
（変形例２）
実施の形態では特に言及しなかったが、照明ユニット１６の導光体３０の上面（出射面）３１には、複数の出射ステップであって、それぞれが、入射した光の少なくとも一部を斜め上後方に内面反射させてから屈折させて出射させる複数のステップが形成されていてもよい。
【００２６】
図６は、別の変形例に係る照明ユニット１６とその周辺を拡大して示す拡大断面図である。図６では、理解を容易にするためハッチングを省略している。本変形例では、上面３１に、複数のステップ４０が形成されている。複数のステップ４０はそれぞれ、左右方向に垂直な断面が凸形状であり、図示の例では略三角形状である。導光体３０の背面３４から入射した光がステップ４０に到達すると、その少なくとも一部は、前方側の面４０ａで斜め上後方に向けて内面反射され、後方側の面４０ｂで屈折して出射される。図示の例では、各ステップ４０の前方側の面４０ａは鉛直面と実質的に平行であり、後方側の面４０ｂは前側ほど上方に位置するように傾斜している。また、特に限定しないが、図６では、光軸Ａｘが斜め下前方を向くように光源２８を配置している。
【００２７】
本変形例によれば、内面反射を繰り返しながら導光体３０内を前面３３に向かって進行するとき、各ステップ４０に到達した光の一部が、斜め上後方に向かって上面３１から出射される。
【００２８】
（変形例３）
図７（ａ）、（ｂ）は、さらに別の変形例に係る上部キャビネット１０の斜視図および平面図である。本変形例では、照明ユニット１６は、遮光部材５０をさらに備える。遮光部材５０は、導光体３０の出射面の一部を覆うように配置される。遮光部材５０に覆われた出射面からの光は、遮光部材５０により遮光される。遮光部材５０は位置変更が可能に設けられ、遮光部材５０の位置を変更することで、出射面の覆われる部分を変更できる。図７の例では、遮光部材５０は、導光体３０の上面３１の一部を覆うように配置され、前後方向にスライド移動可能に、すなわち位置変更が可能に設けられている。
【００２９】
なお、遮光部材５０により出射面の一部が覆われる導光体３０の形状は、特に限定されず、例えば図５（ａ）〜（ｃ）や図６のような形状であってもよい。
【００３０】
本変形例によれば、遮光部材５０の位置を変更することで、出射面の覆われる部分を変更でき、これにより、導光体３０から出射された光に基づく照射パターンが変更できる。
【００３１】
（変形例４）
図８は、さらに別の変形例に照明ユニット１６とその周辺を拡大して示す拡大断面図である。図８は図４に対応する。図８では、理解を容易にするためハッチングを省略している。
【００３２】
本変形例では、照明ユニット１６は、支持機構により、左右方向に延びる軸を中心として角度調整可能に支持される。これにより、所望の向きに光を出射させることができる。例えば、所定の基準面（例えば水平面や収納棚１２の上面１２ａ）に対する上面３１の角度θを調整することにより、上面３１から出射される光の基準面に対する角度、例えば上面３１から斜め上後方に向かって出射される光の基準面に対する角度を、所望の角度に調整できる。
【００３３】
なお、角度調整可能に支持される照明ユニット１６の導光体３０の形状は、特に限定されず、例えば図５（ａ）〜（ｃ）や図６のような形状であってもよい。
【００３４】
また、図８では、照明ユニット１６全体が角度調整可能に支持されているが、導光体３０だけが角度調整可能に支持されてよい、すなわち光源ユニット２０は角度調整不能であってもよい。
【００３５】
本変形例によれば、出射される光の角度を調整できる、つまり、照射パターンを変更できる。
【００３６】
（変形例５）
実施の形態および上述の変形例では、上部キャビネット１０は、洗面化粧ユニットの一部を構成し、洗面所に設置される場合について説明したが、これに限られず、キッチン、トイレ、その他の場所に設置されてもよい。
【００３７】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００３８】
以上の実施の形態および変形例により具体化される発明を一般化すると、以下の技術的思想が導かれる。
【００３９】
本発明のある態様の照明付きキャビネットは、収納棚と、照明ユニットと、を備える。照明ユニットは、光源と、光源からの光が入射する導光体と、を含む。導光体は、収納棚に載置されている。この態様によると、照明付きキャビネットの上方の壁面を照らして広がりのある空間を演出することが可能となる。
【００４０】
導光体は、入射した光を、斜め上後方に出射可能に構成されていてもよい。
【００４１】
導光体の出射面は、前側となるほど上方に位置するように傾斜する傾斜面を有してもよい。
【００４２】
導光体の出射面には、入射した光の少なくとも一部を斜め上後方に内面反射させてから屈折させて出射させる複数のステップが形成されていてもよい。
【００４３】
これらの態様によると、より多くの光を斜め上後方に出射させることができる。
【００４４】
照明ユニットは、導光体の出射面の一部を覆う遮光部材であって、位置変更可能に設けられる遮光部材をさらに備えてもよい。
【００４５】
導光体は、左右方向に延びる軸を中心として角度調整可能に支持されてもよい。
【００４６】
これらの態様によると、照明ユニットによる照射パターンを変更できる。
【００４７】
本発明の別の態様は、洗面化粧ユニットであり、照明付きキャビネットと、照明付きキャビネットより下方に設けられる洗面台と、を備える。
【符号の説明】
【００４８】
１  洗面化粧ユニット、  １０  上部キャビネット、  １２  収納棚、  １６  照明ユニット、  ２０  光源ユニット、  ２８  光源、  ３０  導光体。
【図１】
2019170945.tif 000003
【図２】
2019170945.tif 000004
【図３】
2019170945.tif 000005
【図４】
2019170945.tif 000006
【図５】
2019170945.tif 000007
【図６】
2019170945.tif 000008
【図７】
2019170945.tif 000009
【図８】
2019170945.tif 000010